(57)【要約】【課題】底壁の汚染等が少なく且つ掃除が容易で、耐久性に優れたゴミ収集箱を提供する。【解決手段】底壁１０と側壁１１，１２とによりゴミ収容室４を形成するとともに、該底壁１０の一端縁部１０ａに臨んで開口１４を形成したゴミ収集箱において、底壁１０を、その一端縁部１０ａから他端縁部１０ｂに向けて上昇傾斜する傾斜面とする。かかる構成とすることで、ゴミ収容室４内の掃除を行う場合、該ゴミ収容室４から開口１４側への塵等の掃き出しが容易でありその作業効率が高く、また水掃除をする場合には該底壁１０における排水性が良好であることから、水の滞留による汚損あるいは腐食という問題が発生しにくく、これらの相乗効果として耐久性の高いゴミ収集箱を提供できる。【選択図】        図２
2004256179.tif 000002
【特許請求の範囲】
【請求項１】
底壁（１０）と該底壁（１０）の周縁から立ち上がる側壁（１１，１２）とによりゴミ収容室（４）を形成するとともに、該底壁（１０）の一端縁部（１０ａ）に臨んで開口（１４）を形成し、該開口（１４）を扉（３）により開閉自在としたゴミ収集箱であって、
上記底壁（１０）が、上記一端縁部（１０ａ）から他端縁部（１０ｂ）に向けて上昇傾斜する傾斜面とされていることを特徴とするゴミ収集箱。
【請求項２】
請求項１において、
上記底壁（１０）の周縁部（１０ｂ，１０ｃ，１０ｃ）が、該周縁部（１０ｂ，１０ｃ，１０ｃ）から上記側壁（１１，１２）に向けて凹入湾曲する湾曲面とされていることを特徴とするゴミ収集箱。
【請求項３】
請求項１又は２において、
上記底壁（１０）の上記一端縁部（１０ａ）が下方へ向けて略直角に折曲された折曲形状とされ、その垂下部（１０ｄ）に対してその前面側から上記扉（３）が衝合される構成であることを特徴とするゴミ収集箱。
【請求項４】
請求項１，２又は３において、
上記底壁（１０）がステンレス材で構成されていることを特徴とするゴミ収集箱。
【請求項５】
請求項１，２，３又は４において、
上記扉（３）がメッシュ材で構成されていることを特徴とするゴミ収集箱。
【発明の詳細な説明】
【０００１】
【発明の属する技術分野】
本願発明は、ゴミ収集箱に関するものである。
【０００２】
【従来の技術】
一般に、ゴミ収集箱は、その内部空間をゴミ収容室としているが、その場合、環境衛生上あるいは美観上の観点から、該ゴミ収集箱を扉を備えた矩形箱体で構成し、ゴミ投入後に扉を閉めることで、ゴミからの臭気の外部への放散とか、ゴミの外部への露出を防止し得るようにしている（例えば、特許文献１、特許文献２参照）。
【０００３】
また、特に環境衛生上の観点から、ゴミ収集箱の底部には底壁が設けられ、ゴミ収容室内に投入されたゴミを底壁によって受けることで、ゴミが直接地面上に置かれることによる地面側の汚染等を未然に防止するようにしている（例えば、特許文献１、特許文献２参照）。
【０００４】
【特許文献１】
特開平８−２６０１号公報（図１，図２）
【特許文献２】
特開平１０−５３３０１号公報（段落「０００６」〜「０００８」，図２）。
【０００５】
【発明が解決しようとする課題】
ところが、従来のゴミ収集箱においては、これを地面上等に載置した状態において底壁が水平となるように形状設定をしていため、ゴミ収容室内を水を使って掃除する場合においては排水性が悪く、場合によっては水が長時間に亙って底壁上に残り、該底壁の腐食の原因になるとか、ゴミ収容室ないに投入されたゴミから漏出した汚水が底壁上に付着残留して該底壁の腐食とか汚損の原因になり、延いてはゴミ収集箱の耐久性を損ねるという問題があった。
【０００６】
また、従来のゴミ収集箱においては、上記底壁とその周囲の側壁との隅部が直角状態とされていたため、この隅部に塵等が溜まって次第に固結し、ゴミ収容室を掃き掃除する場合にこれが障害となり、十分な掃き掃除が困難となり、また掃き掃除に時間がかかる、等の問題もあった。
【０００７】
そこで本願発明は、底壁の汚染等が少なく且つ掃除が容易で、耐久性に優れたゴミ収集箱を提供することを目的としてなされたものである。
【０００８】
【課題を解決するための手段】
本願発明ではかかる課題を解決するための具体的手段として次のような構成を採用している。
【０００９】
本願の第１の発明では、底壁１０と該底壁１０の周縁から立ち上がる側壁１１，１２とによりゴミ収容室４を形成するとともに、該底壁１０の一端縁部１０ａに臨んで開口１４を形成し、該開口１４を扉３により開閉自在としたゴミ収集箱において、上記底壁１０を、上記一端縁部１０ａから他端縁部１０ｂに向けて上昇傾斜する傾斜面としたことを特徴としている。
【００１０】
本願の第２の発明では、上記第１の発明にかかるゴミ収集箱において、上記底壁１０の周縁部１０ｂ，１０ｃ，１０ｃを、該周縁部１０ｂ，１０ｃ，１０ｃから上記側壁１１，１２に向けて凹入湾曲する湾曲面としたことを特徴としている。
【００１１】
本願の第３の発明では、上記第１又は第２の発明にかかるゴミ収集箱において、上記底壁１０の上記一端縁部１０ａを下方へ向けて略直角に折曲された折曲形状とし、その垂下部１０ｄに対してその前面側から上記扉３を衝合させる構成としたことを特徴としている。
【００１２】
本願の第４の発明では、上記第１，第２又は第３の発明にかかるゴミ収集箱において、上記底壁１０をステンレス材で構成したことを特徴としている。
【００１３】
本願の第５の発明では、上記第１，第２，第３又は第４の発明にかかるゴミ収集箱において、上記扉３をメッシュ材で構成したことを特徴としている。
【００１４】
【発明の効果】
本願発明ではかかる構成とすることにより次のような効果が得られる。
【００１５】
▲１▼  本願の第１の発明に係るゴミ収集箱によれば、上記底壁１０を、上記一端縁部１０ａから他端縁部１０ｂに向けて上昇傾斜する傾斜面としているので、上記ゴミ収容室４内の掃除を行う場合、該ゴミ収容室４から上記開口１４側への塵等の掃き出しが容易でありその作業効率が高く、また水掃除をする場合にあっては該底壁１０における排水性が良好であることから、従来のような水の滞留による汚損あるいは腐食という問題が発生しにくく、これらの相乗効果として耐久性の高いゴミ収集箱を提供することができる。
【００１６】
▲２▼  本願の第２の発明に係るゴミ収集箱によれば、上記▲１▼に記載の効果に加えて次のような特有の効果が得られる。即ち、この発明では、上記底壁１０の周縁部１０ｂ，１０ｃ，１０ｃを、該周縁部１０ｂ，１０ｃ，１０ｃから上記側壁１１，１２に向けて凹入湾曲する湾曲面としているので、上記底壁１０の周縁部１０ｂ，１０ｃ，１０ｃに塵等が付着残留しにくく、上記ゴミ収容室４内の清掃作業が容易且つ確実となり、長期に亙ってゴミ収容室４の清潔感が維持され、延いてはゴミ収集箱の更なる耐久性の向上が期待できる。
【００１７】
▲３▼  本願の第３の発明に係るゴミ収集箱によれば、上記▲１▼又は▲２▼に記載の効果に加えて次のような特有の効果が得られる。即ち、この発明では、上記底壁１０の上記一端縁部１０ａを下方へ向けて略直角に折曲された折曲形状とし、その垂下部１０ｄに対してその前面側から上記扉３を衝合させる構成としているので、上記底壁１０の傾斜に沿って上記開口１４側に流れた水とか、掃き出される塵等が該開口１４の近傍に止まることなく、より確実に排出され、その結果、上記ゴミ収容室４の清掃作業の容易化がより一層促進される。
【００１８】
▲４▼  本願の第４の発明に係るゴミ収集箱によれば、上記▲１▼，▲２▼又は▲３▼に記載の効果に加えて次のような特有の効果が得られる。即ち、この発明では、上記底壁１０をステンレス材で構成しているので、例え上記底壁１０上に水とか塵等が付着残留したとしても、該ステンレス材の耐食性によって上記底壁１０の腐食が可及的に防止され、上記ゴミ収集箱の耐食性の更なる向上が期待できる。
【００１９】
▲５▼  本願の第５の発明に係るゴミ収集箱によれば、上記▲１▼，▲２▼，▲３▼又は▲４▼に記載の効果に加えて次のような特有の効果が得られる。即ち、この発明では、上記扉３をメッシュ材で構成しているので、該メッシュ材の通気性と遮光性という特有の性状により、上記ゴミ収容室４内に投入されたゴミの外部露出を防止することによるゴミ収集箱の美観性を確保しつつ、該ゴミ収容室４内におけるゴミの腐敗及びこれに伴う異臭の発生を抑制し得るなど、周辺環境に与える悪影響の少ないゴミ収集箱を提供できる。
【００２０】
【発明の実施の形態】
以下、本願発明に係るゴミ収集箱を好適な実施形態に基づいて具体的に説明する。
【００２１】
図１及び図２には、本願発明に係るゴミ収集箱Ｚを示している。このゴミ収集箱Ｚは、次述する箱本体１と蓋体２と扉３とを備えて構成される。
【００２２】
上記箱本体１は、その内部空間をゴミ収容室４とするものであって、左右一対の横側壁１１，１１と該各横側壁１１，１１の後端縁同士を連続させる奥側壁１２とを備える一方、その上面はこれを後端から前端に向かって下降傾斜させ且つここを開放させてこれを投入口１３とするとともに、その前面はこれを開放させてこれを取出口１４（特許請求の範囲中の「開口」に該当する）とし、さらに、その底部には後に詳述する底壁１０が備えられている。
【００２３】
また、上記投入口１３には、左右一対の蓋体２，２が上記奥側壁１２側を支点として上下方向に回動自在に取り付けられ、該各蓋体２，２によって該投入口１３が開閉されるようになっている。尚、これら蓋体２，２は、それぞれ上記横側壁１１，１１との間に跨がって配置されたダンパー３５，３５によって開閉作動がアシストされる。
【００２４】
さらに、上記取出口１４には、後に詳述する左右一対の扉３，３が、それぞれ上記各横側壁１１，１１側を支点として横方向に開閉自在に取り付けられ、該各扉３，３によって該取出口１４が開閉されるようになっている。
【００２５】
上記底壁１０は、平板材を、上記各横側壁１１，１１と奥側壁１２及び上記取出口１４の下端縁の間に跨がって張設したものであって、上記ゴミ収容室４の底面を構成する。この底壁１０は、本願発明の要旨をなすものであって、該底壁１０には以下のような特有の構成が採用されている。
【００２６】
特有な構成の第１は、上記底壁１０の傾斜配置である。即ち、この実施形態においては、図３及び図４に示すように、上記底壁１０を、上記取出口１４側の前側周縁部１０ａ（特許請求の範囲中の「一端縁部１０ａ」に該当する）から上記奥側壁１２側の後側周縁部１０ｂ（特許請求の範囲中の「他端縁部１０ｂ」に該当する）に向けて所定角度（角度α（図４参照））に上昇傾斜させた点である。
【００２７】
かかる特有な構成によれば、上記ゴミ収容室４内の掃除を行う場合、該ゴミ収容室４から上記取出口１４側への塵等の掃き出しが容易でありその作業効率が高く、また水掃除をする場合にあっては該底壁１０における排水性が良好であることから、従来のような水の滞留による汚損あるいは腐食という問題が発生しにくく、これらの相乗効果として上記ゴミ収集箱Ｚの耐久性が向上することになる。
【００２８】
特有な構成の第２は、図２〜図４に示すように、上記底壁１０の全周縁部のうち、上記各横側壁１１，１１と上記奥側壁１２のそれぞれに対応する三つの周縁部１０ｂ，１０ｃ，１０ｃのそれぞれにおいては、該各周縁部１０ｂ，１０ｃ，１０ｃを上記底壁１０側から上記各横側壁１１，１１及び上記奥側壁１２側に向かって凹状に湾曲する湾曲面とし、該底壁１０をこれら各横側壁１１，１１及び上記奥側壁１２の下端部に対して滑らかに連続させた点である。
【００２９】
かかる特有な構成によれば、上記底壁１０の上記各周縁部１０ｂ，１０ｃ，１０ｃが湾曲面とされていることから、これら各周縁部１０ｂ，１０ｃ，１０ｃに塵等が付着残留しにくく、上記ゴミ収容室４内の清掃作業が容易且つ確実となり、長期に亙ってゴミ収容室４の清潔感が維持され、延いてはゴミ収集箱Ｚの更なる耐久性の向上が期待できる。
【００３０】
特有な構成の第３は、上記底壁１０の上記取出口１４に臨む前側周縁部１０ａを下方へ向けて略直角に折曲させ、その折曲した垂下部１０ｄに対してその前面側から上記扉３が衝合されるようにした点である。
【００３１】
かかる特有な構成によれば、上記底壁１０の傾斜に沿って上記取出口１４側に流れた水とか、掃き出される塵等が該取出口１４の近傍に止まることなく、より確実に排出され、その結果、上記ゴミ収容室４の清掃作業の容易化がより一層促進される。
【００３２】
特有な構成の第４は、上記底壁１０を耐食性に優れたステンレス材で構成した点である。かかる特有な構成によれば、例え上記底壁１０上に水とか塵等が付着残留したとしても、該ステンレス材の耐食性によって上記底壁１０の腐食が可及的に防止され、上記ゴミ収集箱Ｚの耐食性の更なる向上が期待できる。
【００３３】
一方、この実施形態においては、上記扉３を、枠材３ａとその内側に設けたメッシュ材３ｂとで構成している。かかる構成とすることで、上記メッシュ材３ｂの通気性と遮光性という特有の性状により、上記ゴミ収容室４内に投入されたゴミの外部露出を防止することによるゴミ収集箱の美観性を確保しつつ、該ゴミ収容室４内におけるゴミの腐敗及びこれに伴う異臭の発生を抑制し得るなど、周辺環境に与える悪影響の少ないゴミ収集箱を提供できることになる。
【図面の簡単な説明】
【図１】本願発明に係るゴミ収集箱の全体斜視図である。
【図２】図１に示したゴミ収集箱の扉開放状態を示す斜視図である。
【図３】図１のＩＩＩ−ＩＩＩ断面図である。
【図４】図１に示したゴミ収集箱の底壁隅部分の拡大斜視図である。
【符号の説明】
１は箱本体、２は蓋体、３は扉、４はゴミ収容室、１０は底壁、１１は横側壁、１２は奥側壁、１３は投入口、１４は取出口、３５はダンパー、Ｚはゴミ収集箱である。
【図１】
2004256179.tif 000003
【図２】
2004256179.tif 000004
【図３】
2004256179.tif 000005
【図４】
2004256179.tif 000006